(57)【要約】      （修正有）【課題】商品を収納して配達した宅配便または郵便物用パッケージを利用して、前記商品を保管する商品保管用スタンドボックスを作成する。【解決手段】上質の硬質紙片の表面側には商品等表示Ｄを印刷表示し、且つ該紙片の裏面側にはスタンドボックスＢの作成手順図が印刷表示され、前記紙片には、折曲げ線、ミシン線および係止スリットを形成しておき、前記紙片を折曲げ線に沿って折曲げると共に、前記係止スリットに差込み片を差込んで係止してパッケージが作成され、更に、前記配達されたパッケージの表面側の商品等表示Ｄが表側に来るようにして、前記ミシン線に沿って不要部を切断すると共に、折曲げ線に沿って折曲げ、差込片を係止スリットに差込み片を差込んで係止して商品保管用スタンドボックスＢを作成する。【選択図】なし【特許請求の範囲】
【請求項１】
スティック状袋あるいはアルミパウチ等に封入した商品を複数個まとめて収納して、宅配便または郵便物として注文主に配達することができる薄型の方形箱状をしたパッケージであって、該パッケージは、商品保管用スタンドボックスとして再利用ができるよう構成されており、前記パッケージの素材は、上質の硬質紙片の表面側には商品等表示が印刷表示されると共に、該紙片の裏面側には、前記スタンドボックスの作成手順図が印刷表示される一方、前記紙片には、予め、該紙片を折曲げる折曲げ線、該紙片を切断するミシン線および差込片を差込んで係止する係止スリットを形成しておき、商品の受注者側において、前記紙片を折曲げ線に沿って折曲げると共に、前記係止スリットに差込み片を差込んで係止することにより、宅配便または郵便物用パッケージを作成でき、更に、注文者側において、前記配達されたパッケージから商品を取り出した後、前記表面側の商品等表示が表側に来るようにして、前記ミシン線に沿って不要部を切断すると共に、折曲げ線に沿って折曲げ、更に差込片を係止スリットに差込み片を差込んで係止することにより、商品を保管する商品保管用スタンドボックスを作成することができるようにしたことを特徴とする宅配便または郵便物用パッケージ。
【発明の詳細な説明】
【技術分野】
【０００１】
本発明は、例えば、粉末状または顆粒状のサプリメント等の商品を、スティック状袋あるいはアルミパウチ等に封入し、これらを複数個まとめて収納する薄型の方形箱状をしたパッケージを構成する、上質の硬質紙片に、予め前記紙片を折曲げる折曲げ線、該紙片を切断するミシン線および差込片を差込んで係止する係止スリットを形成しておき、商品の受注者側において、前記紙片を折曲げ線に沿って折曲げると共に、前記係止スリットに差込み片を差込んで係止することにより、極めて簡単、且つ迅速に宅配便または郵便物用パッケージを作成して、該パッケージに前記商品を収納して、箱や袋より成る宅配便または郵便物用収納具に入れて、注文主へ発送する一方、前記注文商品を収納して注文主に配達された前記パッケージを利用して、注文者側において、前記パッケージを前記ミシン線に沿って切断すると共に、折曲げ線に沿って折曲げ、更に差込片を係止スリットに差込み片を差込んで係止することにより、誰でも簡単、且つ迅速に、前記商品を保管する商品保管用スタンドボックスを作成することができる宅配便または郵便物用パッケージに関するものである。
【背景技術】
【０００２】
従来、商品を収納して注文主に宅配便または郵便物として配達された、薄型の方形状をした宅配便または郵便物用パッケージは、注文主側において商品を取り出した後は廃棄するのが一般的であり、配達された後のパッケージを利用して商品保管用スタンドボックスを作成し、該商品保管用スタンドボックス内に配達された商品を保管するということは行われておらず、またこれらパッケージを利用して商品保管用スタンドボックスを作成するという技術思想につき、過去の特許文献を遡及検索しても、これと同一または類似する特許文献は１件も発見することができなかった。
【発明の概要】
【発明が解決しようとする課題】
【０００３】
前記のように、商品を収納して注文主に宅配便または郵便物として、箱や袋より成る宅配便または郵便物用収納具に入れて配達された、薄型の方形箱状をしたパッケージは、注文主側において商品を取り出した後は廃棄するのが一般的であり、配達された後のパッケージを利用して商品保管用スタンドボックスを作成し、該商品保管用スタンドボックス内に配達された商品を保管するということは行われていないので、資源の無駄遣いであるし、また、パッケージから商品を取り出した後、該商品を保管した場所を忘れたり、紛失したりして、極めて不便であるという課題があった。
【０００４】
本発明は、前記課題を解決すべくなされたものであって、上質の硬質紙片より成る宅配便または郵便物用パッケージが、商品受注者側において、簡単、且つ迅速に作成でき、そして該パッケージに、スティック状袋あるいはアルミパウチ等に封入した商品を、複数個まとめて収納した後、箱や袋より成る宅配便または郵便物用収納具に入れて、注文主へ宅配便または郵便物として送付できると共に、注文主へ配達された商品を収納した前記パッケージから、前記商品を取り出した後、注文主が前記パッケージを利用して、誰でも簡単、且つ迅速に商品保管用スタンドボックスを作成でき、且つ該商品保管用スタンドボックス内に、前記パッケージから取り出した複数個の商品を、該商品が見易いように、且つ整然とまとめて収納して保管できるようにした商品保管用スタンドボックスを作成することができる宅配便または郵便物用パッケージを提供しようとするものである。
【課題を解決するための手段】
【０００５】
本発明は、スティック状袋あるいはアルミパウチ等に封入した商品を複数個まとめて収納して、宅配便または郵便物として注文主に配達することができる薄型の方形箱状をしたパッケージであって、該パッケージは、商品保管用スタンドボックスとして再利用ができるよう構成されており、前記パッケージの素材は、上質の硬質紙片の表面側には商品等表示が印刷表示されると共に、該紙片の裏面側には、前記スタンドボックスの作成手順図が印刷表示される一方、前記紙片には、予め、該紙片を折曲げる折曲げ線、該紙片を切断するミシン線および差込片を差込んで係止する係止スリットを形成しておき、商品の受注者側において、前記紙片を折曲げ線に沿って折曲げると共に、前記係止スリットに差込み片を差込んで係止することにより、宅配便または郵便物用パッケージを作成でき、更に、注文者側において、前記配達されたパッケージから商品を取り出した後、前記表面側の商品等表示が表側に来るようにして、前記ミシン線に沿って不要部を切断すると共に、折曲げ線に沿って折曲げ、更に差込片を係止スリットに差込み片を差込んで係止することにより、商品を保管する商品保管用スタンドボックスを作成するという手段を採用することにより、上記課題を解決した。
【発明の効果】
【０００６】
前記構成より成る本発明宅配便または郵便物用パッケージは、該パッケージと、該パッケージを利用する商品保管用スタンドボックスとが、簡単、且つ迅速に作成することができるように、予め、上質の硬質紙片に、折曲げ線、切断用ミシン線および差込み片を差込む係止スリットが形成されているため、注文主から商品の注文を受けた受注者は、前記折曲げ線および差込み片を差込む係止スリットを使用して、本発明宅配便または郵便物用パッケージを簡単に組立てて作成して、該パッケージに、スティック状袋あるいはアルミパウチ等に封入した商品を、複数個まとめて収納した後、これを宅配便または郵便物用収納具に入れて、宅配便または郵便物として送付することができ、そして、前記配達された商品を受け取った注文主は、前記パッケージを開封して商品を取り出した後、該パッケージをカッター等の手段を使用することなく分解し、前記折曲げ線や切断用ミシン線に沿って、折曲げ、あるいは切断すると共に、係止スリットに差込み片を差込んで係止することにより、接着剤を使用することなく、商品保管用スタンドボックスを誰でも簡単、且つ迅速に作成することができ、また、前記パッケージから取り出した商品を、前記商品保管用スタンドボックス内に収納して棚等に載置すれば、従来のように、保管場所を忘れたり、あるいは紛失したりする虞れもなく、迅速に商品を取り出し使用することができ、更に、予め、前記商品保管用スタンドボックスの側壁面となる部分に、通常の商品のパッケージと同様に、商品名、商品説明、販売者名およびデザイン等の商品等表示を印刷表示しておくことにより、商品の宣伝を兼ねたり、あるいはデザイン表示により部屋に彩りを与えることができる外、前記商品以外の鉛筆やメモ用紙等をも収納できるので、資源の有効利用をも図ることができる等、優れた効果を奏することができる。
【図面の簡単な説明】
【０００７】
【図１】本発明商品保管用スタンドボックスを作成することができる宅配便または郵便物用パッケージの素材であって、商品等表示を印刷表示して示す表面図である。
【図２】本発明商品保管用スタンドボックスを作成することができる宅配便または郵便物用パッケージの素材であって、商品等表示を省略して示す表面図である。
【図３】本発明商品保管用スタンドボックスを作成することができる宅配便または郵便物用パッケージの素材であって、商品保管用スタンドボックスの作成手順図および装飾図柄を印刷表示して示す裏面図である。
【図４】本発明商品保管用スタンドボックスを作成することができる宅配便または郵便物用パッケージの作成状態を示す裏面側斜視図（裏面側に印刷表示された商品保管用スタンドボックスの作成手順図および装飾図柄を省略）である。
【図５】本発明商品保管用スタンドボックスを作成することができる宅配便または郵便物用パッケージの作成状態を示す裏面側斜視図（裏面側に印刷表示された商品保管用スタンドボックスの作成手順図および装飾図柄を省略）である。
【図６】本発明商品保管用スタンドボックスを作成することができる宅配便または郵便物用パッケージの作成完了後の斜視図（表面側に印刷表示された商品等表示を省略）である。
【図７】本発明商品保管用スタンドボックスを作成することができる宅配便または郵便物用パッケージを使用して商品保管用スタンドボックスを作成する状態を示す裏面側平面図（裏面側に印刷表示された商品保管用スタンドボックスの作成手順図および装飾図柄を省略）である。
【図８】本発明商品保管用スタンドボックスを作成することができる宅配便または郵便物用パッケージを使用して商品保管用スタンドボックスを作成する状態を示す斜視図（表面側に印刷表示された商品等表示および裏面側に印刷表示された装飾図柄を省略）である。
【図９】本発明商品保管用スタンドボックスを作成することができる宅配便または郵便物用パッケージを使用して商品保管用スタンドボックスを作成する状態を示す斜視図（表面側に印刷表示された商品等表示および裏面側に印刷表示された装飾図柄を省略）である。
【図１０】本発明商品保管用スタンドボックスを作成することができる宅配便または郵便物用パッケージを使用して作成した商品保管用スタンドボックスの斜視図である。
【図１１】本発明商品保管用スタンドボックスを作成することができる宅配便または郵便物用パッケージを使用して作成した商品保管用スタンドボックスの使用状態を示す斜視図（表面側に印刷表示された商品等表示を省略）である。
【実施例】
【０００８】
本発明の実施の一例を図面に基づいて詳細に説明する。本発明宅配便または郵便物用パッケージＰの素材は、例えば、粉末状または顆粒状のサプリメント等を、スティック状袋あるいはアルミパウチ等の包装袋に封入した商品１を、複数個まとめて、薄型の方形箱状に形成された宅配便または郵便物用パッケージＰに収納して、箱や袋より成る宅配便または郵便物用収納具に入れて宅配便または郵便物として注文主に配達されるに適し、且つ折曲および切断が容易な上質の硬質紙片２を使用する。
【０００９】
本発明は、宅配便または郵便物用パッケージＰと、該パッケージＰを利用して商品保管用スタンドボックスＢとを、それぞれカッターや接着剤をほとんど使用することなく、簡単、且つ迅速に作成、または分解することができるように、予め、上質の硬質紙片２に、折曲げ線、切断用のミシン線および差込み片を差込んで係止させるための係止スリットが形成されている。
【００１０】
図１は、本発明宅配便または郵便物用パッケージＰを形成する上質の硬質紙片２の表面図で、該硬質紙片２の表面側は、通常の商品のパッケージと同様に、商品名、商品説明、販売者名およびデザイン表示等の商品等表示Ｄを印刷表示して形成されおり、スティック状袋あるいはアルミパウチ等の包装袋に封入した商品１を複数個まとめて収納することができるよう、収納空間を備えた方形箱状に組立てて、本発明宅配便または郵便物用パッケージＰが形成される。なお、図２は、説明の都合上、図１に印刷表示された商品等表示Ｄを省略して示す表面図である。
【００１１】
すなわち、図１および図２に示すように、本発明宅配便または郵便物用パッケージＰを形成する上質の硬質紙片２において、横長状の中間片３の上端縁に側壁形成片４を備えて上側折曲げ片５が連設されると共に、前記中間片３の下端縁に側壁形成片６を備えて下側折曲げ片７が連設され、更に、前記中間片３の左・右端縁部には、左側蓋片８と右側蓋片９がそれぞれ側壁形成片１０・１１を備えて連設されている。
【００１２】
そして、図２に示すように、前記側壁形成片４に接する中間片３の上端縁には、全長に亘って折曲げ線を兼ねる切断用のミシン線１２が形成されると共に、前記側壁形成片４に接する上側折曲げ片５の下端縁には折曲げ線１３が形成されている。また、前記中間片３に、その幅を４等分した位置に、それぞれ折曲げ線１４ａ・１４ｂ・１４ｃが形成され、且つ前記側壁形成片６に接する中間片３の下端縁の、前記右側蓋片９側の折曲げ線１４ｃの位置まで、折曲げ線を兼ねるミシン線１５が形成されると共に、前記中間片３の前記下端縁の残り位置には、前記ミシン線１５に連設して折曲げ線１６が形成され、更に、前記側壁形成片６に接する下側折曲げ片７の上端縁には、全長に亘って折曲げ線１７が形成されている。
【００１３】
更に、前記中間片３の４等分した位置に形成された各折曲げ線１４ａ・１４ｂ・１４ｃの下端縁から前記下側折曲げ片７の下端縁まで、それぞれ切断用のミシン線１８ａ・１８ｂ・１８ｃが連設して形成されると共に、前記中間片３の左右に突設された左側蓋片８と右側蓋片９の各側壁形成片１０・１１の両側部に、それぞれ折曲げ線１９・２０・２１・２２が形成され、更に、該左側蓋片８と右側蓋片９の側壁形成片１０・１１の下端縁には、折曲げ線を兼ねるミシン線２３・２４を設けて折曲げ突片２５・２６が突設される一方、前記下側折曲げ片７の両側下端縁には、前記左側蓋片８と右側蓋片９にそれぞれ形成された係止スリット２７・２８に差込み係止する差込み突片２９・３０が、折曲げ線を兼ねるミシン線３１・３２を設けて突設して形成されている。なお、前記各折曲げ線は、図２においては、実線で表示されているが、実際上は、プレスで押圧して凹溝状の折曲げ線を形成する。 
【００１４】
また更に、前記上側折曲げ片５の上方側に、半円弧状に切断して半円状の差込み片３３が形成され、且つ前記下側折曲げ片７には、前記差込み片３３を差込み係止する左右方向に切断した係止スリット３４が形成されると共に、該係止スリット３４下方の下側折曲げ片７の下端縁には、本発明パッケージＰを作成する際に使用する差込み片３５が、折曲げ線３６を設けて突設されている。本発明パッケージＰは、前記構成とすることにより、薄型の方形箱状の形状を維持できるよう形成されているので、宅配便または郵便物のパッケージとして使用できるのである。
【００１５】
なお、前記左側蓋片８の先端縁には、中間片３の右側蓋片９側に切断して設けられた係止スリット３７に差込み係止する差込み係止片３８が突設されており、これは商品保管用スタンドボックスＢの作成時に使用する。
【００１６】
図３は、本発明宅配便または郵便物用パッケージＰを形成する上質の硬質紙片２の裏面図であり、前記硬質紙片２の裏面に、商品保管用スタンドボックスの作成手順図３９および装飾図柄４０が印刷表示されている。
【００１７】
前記のように形成された上質の硬質紙片２を用いて本発明宅配便または郵便物用パッケージＰを作成する手順を、図４〜図６（図４および図５においては、説明の都合上、裏面側に表示された作成手順図３９および装飾図柄４０は省略してある）により説明する。先ず、図４に示すように、上質の硬質紙片２を裏返しにして展開し、然る後、図５に示すように、折曲げ線を兼ねるミシン線１２、折曲げ線１３、折曲げ線を兼ねるミシン線１５およびこれに連設された折曲げ線１６、並びに折曲げ線１９・２０・２１・２２に沿って谷折りして、中間片３の各側端縁にそれぞれ側壁形成片４・６・１０・１１を直立させ、且つ前記左・右蓋片８・９の側壁形成片１０・１１の下端に突設された折曲げ片２５・２６を、折曲げ線を兼ねるミシン線２３・２４に沿って谷折りして内方へ折曲すると共に、前記上側折曲げ片５、下側折曲げ片７および左・右蓋片８・９を前記中間片３上へ折曲する一方、図５の矢印で示すように、前記下側折曲げ片７の両側端に突設された差込み突片２９・３０を、前記左・右蓋片８・９に形成された係止スリット２７・２８に差込み係止して、上側折曲げ片５を下側折曲げ片７に係止しない開放された、商品１を収納する前の、外側面側に商品等表示Ｄが表示された本発明宅配便または郵便物用パッケージＰが形成される。なお、説明の都合上、図６には商品等表示Ｄが省略されている。
【００１８】
そして、前記開放された上側折曲げ片５を下側折曲げ片７間の、該中間片５上に包装袋に封入された複数個の商品１を載置し、下側折曲げ片７上に上側折曲げ片５位置するよう折畳み、前記上側折曲げ片５の差込み片３３を、前記下側折曲げ片７の係止スリット３４に差込み係止することにより、本発明宅配便または郵便物用パッケージＰ内に商品１が収納された状態となる（図６）。その後、前記商品１を収納したパッケージＰを、箱または袋より成る宅配便または郵便物用収納具に入れて、注文主へ配送できるよう形成されている。
【００１９】
次に、前記商品１を収納して注文主へ宅配便または郵便物として配達された本発明宅配便または郵便物用のパッケージＰは、注文者側において商品1を、前記パッケージＰをから取り出す。そして、前記商品1を取り出した後の本発明宅配便または郵便物用のパッケージＰは、上側折曲げ片５の差込み片３３を係止スリット３４から引き出すことにより簡単に開封され、商品１を取り出すことができる。そして、商品１を取り出した後のパッケージＰは、単に複数の差込み係止片をそれぞれ係止スリットに差込み係止されているだけであるので、これら複数の差込み係止片を係止スリットから、手作業により簡単に取り外すことにより、簡単にパッケージＰは分解される。
【００２０】
前記分解されたパッケージＰは、図７（図７には、作成手順図３９および装飾図柄４０が印刷表示されているが、説明の都合上、これらの記載を省略した）に示すように、裏面側が表側に来るようにして展開し、上側折曲げ片５をミシン線１２に沿って切断して切り離すと共に、折曲げ突片２５・２６および差込み突片２９・３０を、それぞれミシン線２３・２４および３１・３２に沿って切断して切り離す一方、ミシン線１５および１８ａ・１８ｂ・１８ｃに沿って一部を切断することにより、前記中間片３を、商品保管用スタンドボックスＢを構成する４個の側壁面４１ａ・４１ｂ・４１ｃ・４１ｄに形成すると共に、下側折曲げ片７を、商品保管用スタンドボックスＢを構成する３枚の底壁片４２ａ・４２ｂ・４２ｃに形成する。なお、前記底壁片４２ｃに連なる不要片４２ｄは、ミシン線１５・１８ｃに沿って切断して除去する。
【００２１】
然る後、前記切り離された上側折曲げ片５に記載された作成手順図３９に従って、図８（図８には、表面側に商品等表示Ｄおよび裏面側に装飾図柄４０がそれぞれ印刷表示されているが、説明の都合上、これらの記載を省略した）に示すように、前記中間片３の折曲げ線１４ａ・１４ｂ・１４ｃおよび左・右蓋片８・９の折曲げ線２０・２１に沿って山折りして、前記側壁面４１ａ・４１ｂ・４１ｃ・４１ｄを方形状になるよう折り曲げると共に、図９（図９には、表面側に商品等表示Ｄおよび裏面側に装飾図柄４０がそれぞれ印刷表示されているが、説明の都合上、これらの記載を省略した）に示すように、前記右側蓋片９の差込み係止片３８を前記側壁面４１ｄに設けられた係止スリット３７に差込み係止することにより、該右側蓋片８は側壁面４１ｄに接合されて、方形筒状に形成される。
【００２２】
そして更に、図１０に示すように、前記底壁片４２ａ・４２ｃを前記側壁面４１ａ・４１ｂ・４１ｃ・４１ｄの下端縁において折曲げ線１６を介して内側へ折込むと共に、前記底壁片４２ｂを内側へ折込み、且つ該底壁片４２ｂの先端の差込み片３５を、前記折曲げ線３６に沿って山折りして、該差込み片３５を前記側壁面４１ａと前記底壁片４２ａ・４２ｃ間に差込み係止することにより、図１０（図１０には、商品等表示Ｄが印刷表示された部分が外周壁面に現れている）に示すような商品保管用スタンドボックスＢが形成される。前記商品保管用スタンドボックスＢが完成した後は、図１１（図１１は、商品等表示Ｄが省略されている）に示すように、商品１を複数個、該商品保管用スタンドボックスＢ内に収納して保管することができる。
【符号の説明】
【００２３】
Ｐ  宅配便または郵便物用パッケージ
Ｂ  商品保管用スタンドボックス
Ｄ  商品等表示
１  包装袋
２  上質の硬質紙片
３  中間片
４  側壁形成片
５  上側折曲げ片
６  側壁形成片
７  折曲げ片
８  左側蓋片
９  右側蓋片
１０・１１  側壁形成片
１２  ミシン線
１３  折曲げ線
１４ａ・１４ｂ・１４ｃ    折曲げ線
１５  ミシン線
１６・１７  折曲げ線
１８ａ・１８ｂ・１８ｃ  折曲げ線
１９・２０・２１・２２  折曲げ線
２２・２３  ミシン線  
２５・２６  折曲げ突片
２７・２８  係止スリット
２９・３０  差込み突片
３１・３２  ミシン線
３３  差込み片
３４  係止スリット
３５  差込み片
３６  折曲げ線
３７  係止スリット
３８  差込み係止片
３９  作成手順図
４０  装飾図柄
４１ａ・４１ｂ・４１ｃ・４１ｄ  側壁面
４２ａ・４２ｂ・４２ｃ  底壁片
４２ｄ  不要片
【図１】
2018184184.tif 000002
【図２】
2018184184.tif 000003
【図３】
2018184184.tif 000004
【図４】
2018184184.tif 000005
【図５】
2018184184.tif 000006
【図６】
2018184184.tif 000007
【図７】
2018184184.tif 000008
【図８】
2018184184.tif 000009
【図９】
2018184184.tif 000010
【図１０】
2018184184.tif 000011
【図１１】
2018184184.tif 000012